(57)【要約】      （修正有）【課題】伝達レールとハンマーレールの少なくとも一方のレールを良好に支持することができる鍵盤装置および鍵盤楽器を提供する。【解決手段】鍵盤装置１は、切欠き部２４、２５を有して鍵支持軸であるバランスピン４ａ、４ｂに支持された複数の鍵２と、これら複数の鍵２それぞれの押鍵操作に応じて回転する複数の伝達部材１０を鍵２の配列方向に沿って保持する伝達支持レール１４と、鍵２の切欠き部２４に対応して配置されて伝達支持レールを支持する伝達支持柱１７と、複数の鍵２それぞれの押鍵操作に応じて回転する複数の伝達部材１０の回転に応じて回転し、鍵２にアクション荷重を付与する複数のハンマー部材１１を鍵２の配列方向に沿って保持するハンマー支持レール１５と、鍵２の切欠き部２５に対応して配置されてハンマー支持レール１５を支持するハンマー支持柱１８と、を備える。【選択図】図１
2018155890.tif 000002
【特許請求の範囲】
【請求項１】
切欠き部を有する鍵、孔を有する鍵及び鍵支持軸に支持された鍵の少なくとも一つを含む複数の鍵と、
前記複数の鍵それぞれの押鍵操作に応じて回転する複数の伝達部材を前記鍵の配列方向に沿って保持する伝達レールと、
前記鍵の前記切欠き部、前記鍵の前記孔及び前記鍵支持軸の少なくとも一つに対応して配置されて前記伝達レールを支持する伝達支持柱と、
を備えることを特徴とする鍵盤装置。
【請求項２】
切欠き部を有する鍵、孔を有する鍵及び鍵支持軸に支持された鍵の少なくとも一つを含む複数の鍵と、
前記複数の鍵それぞれの押鍵操作に応じて回転する複数の伝達部材の回転に応じて回転し、前記鍵にアクション荷重を付与する複数のハンマー部材を前記鍵の配列方向に沿って保持するハンマーレールと、
前記鍵の前記切欠き部、前記鍵の前記孔及び前記鍵支持軸の少なくとも一つに対応して配置されて前記ハンマーレールを支持するハンマー支持柱と、
を備えることを特徴とする鍵盤装置。
【請求項３】
切欠き部を有する鍵、孔を有する鍵及び鍵支持軸に支持された鍵の少なくとも一つを含む複数の鍵と、
前記複数の鍵それぞれの押鍵操作に応じて回転する複数の伝達部材を前記鍵の配列方向に沿って保持する伝達レールと、
前記鍵の前記切欠き部、前記鍵の前記孔及び前記鍵支持軸の少なくとも一つに対応して配置されて前記伝達レールを支持する伝達支持柱と、
前記複数の鍵それぞれの押鍵操作に応じて回転する複数の伝達部材の回転に応じて回転し、前記鍵にアクション荷重を付与する複数のハンマー部材を前記鍵の配列方向に沿って保持するハンマーレールと、
前記鍵の前記切欠き部、前記鍵の前記孔及び前記鍵支持軸の少なくとも一つに対応して配置されて前記ハンマーレールを支持するハンマー支持柱と、
を備えることを特徴とする鍵盤装置。
【請求項４】
請求項３に記載の鍵盤装置において、前記複数の伝達支持柱それぞれは、その上端部を前記伝達レールに固定する上部伝達締結部と、下端部を前記鍵が前記鍵支持軸によって配列されるベース部材に固定する下部伝達締結部と、を備えており、
前記複数のハンマー支持柱それぞれは、その上端部を前記ハンマーレールに固定する上部ハンマー締結部と、下端部を前記ベース部材に固定する下部ハンマー締結部と、を備えていることを特徴とする鍵盤装置。
【請求項５】
請求項３または請求項４に記載の鍵盤装置において、前記伝達レールは、その両端部がレール支持部材に支持され、前記複数の伝達支持柱は、前記伝達レールの前記両端部を除いて、前記鍵の配列方向における複数箇所に設けられており、
前記ハンマーレールは、その両端部が前記レール支持部材に支持され、前記複数のハンマー支持柱は、前記ハンマーレールの前記両端部を除いて、前記鍵の配列方向における複数箇所に設けられていることを特徴とする鍵盤装置。
【請求項６】
請求項３〜請求項５のいずれかに記載の鍵盤装置において、前記伝達支持柱と前記ハンマー支持柱とは、その各外径が前記鍵の配列方向における前記鍵の長さよりも短く形成されていることを特徴とする鍵盤装置。
【請求項７】
請求項３〜請求項６のいずれかに記載の鍵盤装置において、前記鍵の前記切欠き部は、前記伝達支持柱と前記ハンマー支持柱とが位置する箇所で隣接する前記鍵の対向面に互いに対応して設けられて、前記伝達支持柱と前記ハンマー支持柱とが配置されることを特徴とする鍵盤装置。
【請求項８】
請求項１〜請求項７のいずれかに記載の鍵盤装置において、前記複数の伝達支持柱と前記複数のハンマー支持柱とのいずれか一方は、前記鍵を支持する前記鍵支持軸に設けられていることを特徴とする鍵盤装置。
【請求項９】
請求項１〜請求項８のいずれかに記載の鍵盤装置において、前記複数の鍵は、その配列方向と直交する方向に全て直線的な形状で形成されていることを特徴とする鍵盤装置。
【請求項１０】
請求項１〜請求項９のいずれかに記載された鍵盤装置と、
前記鍵盤装置の前記鍵の操作に応じて楽音を発生させる発音部と、
を備えていることを特徴とする鍵盤楽器。
【発明の詳細な説明】
【技術分野】
【０００１】
この発明は、ピアノなどの鍵盤楽器に用いられる鍵盤装置およびそれを備えた鍵盤楽器に関する。
【背景技術】
【０００２】
例えば、ピアノなどの鍵盤装置においては、特許文献１に記載されているように、鍵の押鍵操作によって回転するウイペンと、このウイペンの回転動作に応じて駆動されるジャックと、このジャックによって駆動されて弦を打撃するハンマー部材とを備え、これらが複数の鍵それぞれに対応して配列された状態でベース部材上に支持されるようにしたものが知られている。
【先行技術文献】
【特許文献】
【０００３】
【特許文献１】特開２００２−２５８８３５号公報
【０００４】
この種の鍵盤装置は、複数の鍵それぞれに対応して配列される複数のウイペンを保持するウイペンレールと、複数の鍵それぞれに対応して配列される複数のハンマー部材を保持するハンマーレールと、を備えている。これらウイペンレールとハンマーレールとは、その各両端部がレール支持部材によってベース部材の上方に支持されるようになっている。
【０００５】
この場合、レール支持部材は、複数の鍵が配列された両側に位置するベース部材上に固定される固定部と、この固定部上に一体に設けられてウイペンレールの端部が取り付けられるウイペンレール取付部と、固定部上に一体に設けられてハンマーレールの端部が取り付けられるハンマーレール取付部と、を備えている。
【発明の概要】
【発明が解決しようとする課題】
【０００６】
しかしながら、このような鍵盤装置では、複数の鍵が配列された両側に位置するベース部材上に固定されたレール支持部材によって、ウイペンレールの両端部とハンマーレールの両端部とを支持する構造であるから、良好に支持することができるが、よりコンパクトな鍵盤装置においても良好に支持したいというニーズがある。
【０００７】
この発明が解決しようとする課題は、伝達レールとハンマーレールとの少なくとも一方のレールを良好に支持することができる鍵盤装置およびそれを備えた鍵盤楽器を提供することである。
【課題を解決するための手段】
【０００８】
この発明は、切欠き部を有する鍵、孔を有する鍵及び鍵支持軸に支持された鍵の少なくとも一つを含む複数の鍵と、前記複数の鍵それぞれの押鍵操作に応じて回転する複数の伝達部材を前記鍵の配列方向に沿って保持する伝達レールと、前記鍵の前記切欠き部、前記鍵の前記孔及び前記鍵支持軸の少なくとも一つに対応して配置されて前記伝達レールを支持する伝達支持柱と、を備えることを特徴とする鍵盤装置である。
【０００９】
また、この発明は、切欠き部を有する鍵、孔を有する鍵及び鍵支持軸に支持された鍵の少なくとも一つを含む複数の鍵と、前記複数の鍵それぞれの押鍵操作に応じて回転する複数の伝達部材の回転に応じて回転し、前記鍵にアクション荷重を付与する複数のハンマー部材を前記鍵の配列方向に沿って保持するハンマーレールと、前記鍵の前記切欠き部、前記鍵の前記孔及び前記鍵支持軸の少なくとも一つに対応して配置されて前記ハンマーレールを支持するハンマー支持柱と、を備えることを特徴とする鍵盤装置である。
【発明の効果】
【００１０】
この発明によれば、伝達レールとハンマーレールとの少なくとも一方のレールを良好に支持することができる。
【図面の簡単な説明】
【００１１】
【図１】この発明を適用した電子鍵盤楽器の鍵盤装置を示した断面図である。
【図２】図１に示された鍵盤装置において複数の鍵が配列されたベース板上に伝達支持柱とハンマー支持柱とを取り付けた状態を示した要部の断面図である。
【図３】図２に示された鍵盤装置を示した平面図である。
【図４】図１に示された鍵盤装置を前側から見た主要部の正面図である。
【図５】図３に示された鍵盤装置において、伝達支持柱とハンマー支持柱とが配置される箇所の各鍵の要部を示し、（ａ）は伝達支持柱が配置される第１切欠き部を示した拡大平面図、（ｂ）はハンマー支持柱が配置される第２切欠き部を示した拡大平面図である。
【図６】図１に示された伝達部材および伝達保持部材の各一部を示し、（ａ）はその拡大平面図、（ｂ）はそのＢ−Ｂ矢視における要部の拡大断面図である。
【図７】図１に示された伝達部材を示し、（ａ）はその拡大側面図、（ｂ）はそのＣ−Ｃ矢視における拡大断面図である。
【図８】図１に示されたハンマー部材およびハンマー保持部材の各一部を示し、（ａ）はその拡大平面図、（ｂ）はそのＤ−Ｄ矢視における要部の拡大断面図である。
【図９】図１に示されたハンマー部材を示し、（ａ）はその拡大側面図、（ｂ）はその拡大平面図である。
【図１０】この発明を適用した鍵盤装置の変形例を示した断面図である。
【発明を実施するための形態】
【００１２】
以下、図１〜図９を参照して、この発明を適用した電子鍵盤楽器の一実施形態について説明する。
この電子鍵盤楽器は、図１に示すように、鍵盤装置１を備えている。この鍵盤装置１は、楽器ケース（図示せず）内に組み込まれるものである。この鍵盤装置１は、並列に配列された複数の鍵２と、これら複数の鍵２の押鍵操作に応じて各鍵２それぞれにアクション荷重を付与するアクション機構３と、を備えている。
【００１３】
複数の鍵２は、図１〜図３に示すように、白鍵２ａおよび黒鍵２ｂを有し、これら白鍵２ａおよび黒鍵２ｂが例えば８８個並列に配列されている。これら複数の鍵２は、その前後方向（図２では左右方向）におけるほぼ中間部がそれぞれ鍵支持軸であるバランスピン４ａ、４ｂによって上下方向に回転可能に支持され、この状態でベース板５上に並列に配列されている。
【００１４】
この場合、白鍵２ａと黒鍵２ｂとは、図１〜図３に示すように、その前後方向の長さが異なり、白鍵２ａの長さが黒鍵２ｂの長さよりも長く形成されている。これに伴って、白鍵２ａは、鍵支持軸であるバランスピン４ａによって上下方向に回転可能に支持されている。また、黒鍵２ｂは、鍵支持軸であるバランスピン４ｂによって上下方向に回転可能に支持されている。
【００１５】
また、ベース板５上には、図１および図２に示すように、複数の鍵２の各前端部（図２では右端部）の各下面がそれぞれ接離可能に当接する白鍵２ａ用のクッション材６と黒鍵２ｂ用のクッション材（図示せず）が鍵２の配列方向に沿って設けられている。このベース板５上には、複数の鍵２の各後端部（図２では左端部）の各下面がそれぞれ接離可能に当接するクッション材７が鍵２の配列方向に沿って設けられている。
【００１６】
これにより、複数の鍵２は、図１および図２に示すように、前部側のクッション材６と後部側のクッション材７とによって、各鍵ストロークが設定されている。さらに、このベース板５上には、複数の鍵２がその配列方向に横振れするのを防ぐための白鍵２ａ用のガイドピン８と黒鍵２ｂ用のガイドピン（図示せず）がそれぞれ起立して設けられている。
【００１７】
アクション機構３は、図１に示すように、複数の鍵２の押鍵操作に応じてそれぞれ上下方向に回転する複数の伝達部材１０と、これら複数の伝達部材１０の各回転動作に応じてそれぞれ上下方向に回転して複数の鍵２それぞれにアクション荷重を付与する複数のハンマー部材１１と、を備えている。この場合、複数の鍵２は、複数の伝達部材１０の各重量によって、バランスピン４ａ、４ｂを中心に反時計回りに回転し、各鍵２それぞれを初期位置に押し上げて、各鍵２に初期荷重が付与されるようになっている。
【００１８】
また、このアクション機構３は、図１に示すように、複数の伝達部材１０をそれぞれ回転自在に保持する複数の伝達保持部材１２と、複数のハンマー部材１１をそれぞれ回転自在に保持する複数のハンマー保持部材１３と、を備えている。複数の伝達保持部材１２は、鍵２の配列方向に沿って配置された伝達支持レール１４上に取り付けられている。また、複数のハンマー保持部材１３は、鍵２の配列方向に沿って配置されたハンマー支持レール１５上に取り付けられている。
【００１９】
これら伝達支持レール１４およびハンマー支持レール１５は、図１および図３に示すように、その各両端部がレール支持部材１６に支持されて、複数の鍵２の上方に配置されている。このレール支持部材１６は、ＡＢＳ樹脂などの硬質の合成樹脂からなり、ベース板５上に取り付けられる取付部１６ａと、この取付部１６ａ上に一体に形成されたブリッジ部１６ｂと、を有している。
【００２０】
これにより、レール支持部材１６は、図１および図３に示すように、取付部１６ａが鍵２の配列方向における両側に位置するベース板５上に取り付けられることにより、ブリッジ部１６ｂが鍵２の上方に突出した状態で、複数の鍵２の後部側に配置されるようになっている。この場合、ブリッジ部１６ｂの後端下部、つまり取付部１６ａの後側上部（図１では左側上部）には、伝達支持レール１４を支持する伝達レール支持部１６ｃが設けられている。
【００２１】
また、このブリッジ部１６ｂの前側上部（図１では右側上部）には、図１に示すように、ハンマー支持レール１５を支持するハンマーレール支持部１６ｄが設けられている。さらに、ブリッジ部１６ｂの後側上部（図１では左側上部）には、ストッパレール支持部１６ｅが設けられており、ブリッジ部１６ｂの上部には、基板レール支持部１６ｆが設けられている。
【００２２】
この場合、伝達支持レール１４は、図１〜図３に示すように、鍵２の配列方向の全長における予め定められた複数個所が伝達支持柱１７によって支持されている。また、ハンマー支持レール１５は、伝達支持柱１７と同様、鍵２の配列方向の全長における予め定められた複数個所がハンマー支持柱１８によって支持されている。
【００２３】
この場合、複数の鍵２は、図３および図４に示すように、全体で例えば８８個配列されている。これに応じて、複数の伝達支持柱１７と複数のハンマー支持柱１８とは、例えば２０個の鍵２ごとに位置する各３箇所における各鍵２間に位置した状態で、ベース板５上に起立して取り付けられている。
【００２４】
すなわち、複数の伝達支持柱１７それぞれは、図１および図２に示すように、円柱状に形成され、その上下方向の長さが、ベース板５の上面から伝達支持レール１４の下面までの長さ、つまりレール支持部材１６の伝達レール支持部１６ｃの上端部に対応する長さになっている。また、これら複数の伝達支持柱１７それぞれは、その外径が鍵２の配列方向における鍵２の長さ（横幅）よりも短く形成されている。
【００２５】
この伝達支持柱１７は、図１および図２に示すように、その上端部を伝達支持レール１４に固定する上部伝達締結部２０と、下端部をベース板５に固定する下部伝達締結部２１と、を備えている。上部伝達締結部２０は、伝達支持柱１７の上端部に設けられたねじ穴２０ａと、伝達支持レール１４の後端部の取付部に設けられた取付孔１４ａを通して伝達支持柱１７のねじ穴２０ａに螺合するビス２０ｂと、を備えている。
【００２６】
また、下部伝達締結部２１は、図１および図２に示すように、伝達支持柱１７の下端部に設けられたねじ穴２１ａと、ベース板５に設けられた段付きの取付孔５ａを通して伝達支持柱１７のねじ穴２１ａに螺合するビス２１ｂと、を備えている。この場合、段付きの取付孔５ａは、その下部側が大径孔部に形成され、上部側が小径孔部に形成され、ビス２１ｂが下側から挿入されて伝達支持柱１７のねじ穴２１ａに螺合した際に、ビス２１ｂの頭部が大径孔部内に配置されるようになっている。
【００２７】
これにより、複数の伝達支持柱１７は、図１および図２に示すように、その各下端部のねじ穴２１ａに各ビス２１ｂが螺着することによってベース板５上に起立して取り付けられた際に、その各上端部が伝達支持レール１４の下面に配置され、この状態で各上端部のねじ穴２０ａに各ビス２０ｂが伝達支持レール１４の各取付孔１４ａを通して螺着するようになっている。
【００２８】
このため、複数の伝達支持柱１７は、図１および図２に示すように、鍵２の配列方向の両側にそれぞれ配置された各レール支持部材１６の伝達レール支持部１６ｃに架け渡された伝達支持レール１４における鍵２の配列方向の予め定められた複数個所（３箇所）を支持するようになっている。
【００２９】
一方、複数のハンマー支持柱１８それぞれは、図１および図２に示すように、伝達支持柱１７と同様、円柱状に形成され、その上下方向の長さが、ベース板５の上面からハンマー支持レール１５の下面までの長さ、つまりレール支持部材１６のハンマーレール支持部１６ｄの上端部に対応する長さになっている。また、これら複数のハンマー支持柱１８それぞれは、その外径が鍵２の配列方向における鍵２の長さ（横幅）よりも短く形成されている。
【００３０】
このハンマー支持柱１８は、図１および図２に示すように、その上端部をハンマー支持レール１５に固定する上部ハンマー締結部２２と、下端部をベース板５に固定する下部ハンマー締結部２３と、を備えている。上部ハンマー締結部２２は、ハンマー支持柱１８の上端部に設けられたねじ穴２２ａと、ハンマー支持レール１５に設けられた取付孔１５ａを通してハンマー支持柱１８のねじ穴２２ａに螺合するビス２２ｂと、を備えている。
【００３１】
また、下部ハンマー締結部２３は、図１に示すように、ハンマー支持柱１８の下端部に設けられたねじ穴２３ａと、ベース板５に設けられた段付きの取付孔５ｂを通してハンマー支持柱１８のねじ穴２３ａに螺合するビス２３ｂと、を備えている。この場合、段付きの取付孔５ｂは、その下部側が大径孔部に形成され、上部側が小径孔部に形成され、ビス２３ｂが下側から挿入されてハンマー支持柱１８のねじ穴２３ａに螺合した際に、ビス２３ｂの頭部が大径孔部内に配置されるようになっている。
【００３２】
これにより、複数のハンマー支持柱１８は、図１に示すように、その各下端部のねじ穴２３ａに各ビス２３ｂが螺着することによってベース板５上に起立して取り付けられた際に、その各上端部がハンマー支持レール１５の下面に配置され、この状態で各上端部のねじ穴２２ａに各ビス２２ｂがハンマー支持レール１５の各取付孔１５ａを通して螺着するようになっている。
【００３３】
このため、複数のハンマー支持柱１８は、図１および図２に示すように、鍵２の配列方向の両側にそれぞれ配置された各レール支持部材１６のハンマーレール支持部１６ｄに架け渡されたハンマー支持レール１５における鍵２の配列方向の予め定められた複数個所（３箇所）を支持するようになっている。
【００３４】
この場合、複数の伝達支持柱１７と複数のハンマー支持柱１８とのそれぞれは、図３〜図５に示すように、その各下部側が鍵２の配列方向における複数箇所（３箇所）に位置して互いに隣接する鍵２の間に配置されている。すなわち、互いに隣接する鍵２の各対向面には、伝達支持柱１７それぞれを配置させるための一対の第１切欠き部２４が設けられていると共に、ハンマー支持柱１８それぞれを配置させるための一対の第２切欠き部２５が設けられている。
【００３５】
一対の第１切欠き部２４は、図３および図５に示すように、伝達支持柱１７が配置される箇所において互いに隣接する鍵２の各後端部に、伝達支持柱１７の半径よりも少し大きく食込んだ形状で、伝達支持柱１７が位置する箇所から鍵２の各後端に亘って互いに対応して設けられている。これにより、一対の第１切欠き部２４は、これらの間に伝達支持柱１７の下部が配置された際に、互いに対向する各第１切欠き部２４の対向面が伝達支持柱１７に接触しないように設けられている。
【００３６】
また、一対の第２切欠き部２５は、図３〜図５に示すように、ハンマー支持柱１８が配置される箇所において互いに隣接する鍵２の各中間部附近に、ハンマー支持柱１８の半径よりも少し大きく食込んだ形状で互いに対応してほぼ楕円形状をなすように設けられている。これにより、一対の第２切欠き部２５は、これらの間にハンマー支持柱１８の下部が配置された際に、互いに対向する各第２切欠き部２５の対向面がハンマー支持柱１８に接触しないように設けられている。
【００３７】
このため、複数の鍵２それぞれは、図３に示すように、その長手方向、つまり鍵２の配列方向と直交する方向に全て直線的な形状で真直ぐに形成されている。この場合、複数の鍵２は、複数の伝達支持柱１７と複数のハンマー支持柱１８とが配置される箇所の各鍵２、例えば２０個目ごとに位置して隣接する各鍵２に第１切欠き部２４と第２切欠き部２５とを設けることにより、１ブロック（例えば１オクターブ）ごとに鍵２の交換が可能となるようになっている。
【００３８】
ところで、伝達支持レール１４は、図１に示すように、帯板の両側部をその長手方向に沿って下側に向けて折り曲げた形状に形成され、その長手方向の長さが複数の鍵２の配列方向の全長に亘る長さになっている。この伝達支持レール１４は、鍵２の配列方向における両側部がレール支持部材１６の各伝達レール支持部１６ｃ上に取り付けられた状態で、鍵２の配列方向における複数箇所が複数の伝達支持柱１７によって支持されている。
【００３９】
この伝達支持レール１４上には、図１に示すように、複数の伝達保持部材１２および複数のストッパ支持部２６が鍵２の配列方向に沿って取り付けられている。この場合、複数のストッパ支持部２６は、金属板からなり、両側のレール支持部材１６と複数の伝達支持柱１７とに対応する伝達支持レール１４上の５箇所に、複数の伝達保持部材１２の上方に突出した状態で取り付けられている。
【００４０】
伝達保持部材１２は、ＡＢＳ樹脂などの硬質の合成樹脂からなり、図６（ａ）および図６（ｂ）に示すように、本体板１２ａ上に複数の軸支持部１２ｂが例えば１０個程度の各鍵２に対した状態で鍵２の配列方向に沿って一体に設けられている。この軸支持部１２ｂは、伝達部材１０が回転自在に取り付けられて伝達部材１０の横触れを防ぐようになっている。
【００４１】
すなわち、軸支持部１２ｂは、図６（ａ）および図６（ｂ）に示すように、一対のガイド壁１２ｃと、これら一対のガイド壁１２ｃ間に設けられた伝達保持軸１２ｄと、を有している。一対のガイド壁１２ｃは、伝達保持部材１２の本体板１２ａ上の後端部（図４（ａ）では左端部）に、複数の伝達部材１０それぞれの各両側部と対応して設けられている。
【００４２】
これら一対のガイド壁１２ｃは、図６（ａ）に示すように、伝達部材１０の後述する伝達嵌合部２８を両側から摺動可能に挟んだ状態で、伝達部材１０の伝達嵌合部２８を回転可能にガイドするガイド部になっている。伝達保持軸１２ｄは、図６（ｂ）に示すように、ほぼ丸棒状をなし、その外周面の両側が切り欠かれていることにより、断面形状が非円形状に形成されている。
【００４３】
また、この伝達保持部材１２は、図６（ａ）および図６（ｂ）に示すように、梱包輸送時に伝達部材１０の横触れを規制する規制部１２ｅを有している。この規制部１２ｅは、伝達保持部材１２の本体板１２ａの前部（図６（ａ）では右側部）上に各伝達部材１０と対応して設けられ一対の規制壁である。この規制部１２ｅは、伝達部材１０の後側下部を挟んだ状態で、伝達部材１０を回転可能にガイドするほか、梱包輸送時に伝達部材１０の横振れを規制するようになっている。
【００４４】
伝達部材１０は、ＡＢＳ樹脂などの硬質の合成樹脂からなり、図１および図７に示すように、鍵２の押鍵操作に応じて上下方向に回転してハンマー部材１１を上下方向に回転させる伝達本体部２７と、この伝達本体部２７に一体に形成されて伝達保持部材１２の伝達保持軸１２ｄに回転自在に取り付けられる伝達嵌合部２８と、を有している。
【００４５】
伝達本体部２７は、図１および図７に示すように、ほぼワッフル形状に形成されている。すなわち、この伝達本体部２７は、厚みの薄い縦板部２７ａと、この縦板部２７ａの外周部および両側面にほぼ格子状に設けられた複数のリブ部２７ｂと、を有し、これらがワッフル形状に形成されている。この場合、伝達本体部２７は、縦板部２７ａの形状や厚みおよび複数のリブ部２７ｂの形成密度によって、伝達部材１０の重量が調整されるようになっている。
【００４６】
また、この伝達部材１０は、図７（ａ）および図７（ｂ）に示すように、その伝達本体部２７の縦板部２７ａの厚みが薄く形成されていても、複数のリブ部２７ｂによって強度が確保されている共に、合成樹脂で成形する際に、複数のリブ部２７ｂによって縦板部２７ａにヒケが発生するのを防ぐようになっている。
【００４７】
伝達嵌合部２８は、図１および図７に示すように、全体が逆Ｃ字形状に形成され、伝達本体部２７の後端部に後方に突出して設けられている。すなわち、この伝達嵌合部２８は、図６および図７に示すように、鍵２の配列方向の厚みが軸支持部１２ｂの一対のガイド壁１２ｃ間の長さとほぼ同じ長さで設けられて、一対のガイド壁１２ｃ間に摺動可能に挿入されるようになっている。
【００４８】
また、この伝達嵌合部２８は、図７（ａ）に示すように、その中心部に伝達保持部材１２の伝達保持軸１２ｄが嵌合する嵌合孔２８ａが設けられ、この嵌合孔２８ａの周囲における一部、つまり嵌合孔２８ａの周囲における後部に伝達保持軸１２ｄが挿脱可能に挿入される挿入口２８ｂが設けられ、この挿入口２８ｂを通して伝達保持軸１２ｄが嵌合孔２８ａに挿入されることにより、伝達保持軸１２ｄに回転可能に取り付けられるようになっている。
【００４９】
また、この伝達部材１０の伝達本体部２７は、図１および図７に示すように、その下部が鍵２の上面に向けて突出して設けられている。この伝達本体部２７の下端部には、伝達フェルト３０が設けられている。この伝達フェルト３０は、鍵２の後側上部に設けられたキャプスタン３１が下側から当接するようになっている。
【００５０】
これにより、伝達部材１０は、図１に示すように、鍵２が押鍵された際に、伝達フェルト３０に下側から当接する鍵２のキャプスタン３１によって押し上げられて、伝達保持軸１２ｄを中心に反時計回りに回転するようになっている。また、伝達部材１０の伝達本体部２７は、その前端上部が後端上部よりも高く設けられ、これにより上辺部が後部下がり（図１では左下がり）に傾斜するようになっている。
【００５１】
この伝達本体部２７の前端上部には、図１および図７に示すように、支持部２７ｄが上方に向けて突出して設けられている。すなわち、この支持部２７ｄは、後述するハンマー部材１１に当接することなく、ハンマー部材１１の側面に沿って上下方向に移動するようになっている。また、この支持部２７ｄの側面には、後述する連動制御部３２の連動突起部３２ａが設けられている。
【００５２】
一方、ハンマー支持レール１５は、図１に示すように、伝達支持レール１４と同様、帯板の両側部をその長手方向に沿って下側に向けて折り曲げた形状に形成され、その長手方向の長さが複数の鍵２の配列方向の全長に亘る長さで設けられている。このハンマー支持レール１５は、鍵２の配列方向における両側部がレール支持部材１６の各ハンマーレール支持部１６ｄ上に取り付けられた状態で、鍵２の配列方向における複数箇所が複数のハンマー支持柱１８によって支持されている。
【００５３】
このハンマー支持レール１５上には、図１および図８に示すように、複数のハンマー保持部材１３が鍵２の配列方向に沿って取り付けられている。ハンマー保持部材１３は、ＡＢＳ樹脂などの硬質の合成樹脂からなり、上方が開放されたレール状の本体板１３ａの後端部に軸支持部１３ｂが例えば１０個程度の各鍵２に対した状態で鍵２の配列方向に沿って一体に設けられている。この軸支持部１３ｂは、ハンマー部材１１が回転自在に取り付けられて、ハンマー部材１１の横振れを防ぐようになっている。
【００５４】
すなわち、この軸支持部１３ｂは、図８（ａ）および図８（ｂ）に示すように、一対のガイド壁１３ｃと、これら一対のガイド壁１３ｃ間にそれぞれ設けられたハンマー保持軸１３ｄと、を有している。一対のガイド壁１３ｃは、本体板１３ａの後端部（図８（ｂ）では左端部）に、複数のハンマー部材１１それぞれの各両側部と対応して設けられている。
【００５５】
これら一対のガイド壁１３ｃは、図８（ａ）および図８（ｂ）に示すように、ハンマー部材１１の後述するハンマー嵌合部３５を両側から摺動可能に挟んだ状態で、ハンマー部材１１のハンマー嵌合部３５を回転可能にガイドするガイド部になっている。ハンマー保持軸１３ｄは、図８（ｂ）に示すように、ほぼ丸棒状をなし、伝達保持軸１２ｄと同様、その外周面の両側が切り欠かれていることにより、断面形状が非円形状に形成されている。
【００５６】
ハンマー部材１１は、ＡＢＳ樹脂などの硬質の合成樹脂からなり、図１および図９に示すように、ハンマーヘッド３３とハンマーアーム３４とを有し、これらが一体に設けられている。この場合、ハンマー部材１１は、図９（ａ）〜図９（ｄ）に示すように、後述する上限ストッパ４０に当接するストッパ当接部３８が設けられている。
【００５７】
ハンマーヘッド３３は、図１および図９に示すように、杓子形状の縦板部３３ａを有し、その外周部およびその両側面に複数のリブ部３３ｂが設けられている。ハンマーヘッド３３は、杓子形状の縦板部３３ａの形状および複数のリブ部３３ｂの形成密度によって、ハンマー部材１１の重量が調整されるようになっている。
【００５８】
ハンマーアーム３４は、図１および図９に示すように、前後方向の長さが伝達部材１０とほぼ同じ長さの横板部３４ａを有し、その外周部および両側面にリブ部３４ｂが設けられている。このハンマーアーム３４の前端部（図７では右端部）には、ハンマー保持部材１３に回転自在に取り付けられるハンマー嵌合部３５が設けられている。
【００５９】
このハンマー嵌合部３５は、図９（ａ）に示すように、伝達嵌合部２８と同様、全体がＣ字形状に形成され、ハンマーアーム３４の前端部に前方に突出して形成されている。すなわち、このハンマー嵌合部３５は、鍵２の配列方向の厚みが一対のガイド壁１３ｃ間とほぼ同じ長さで設けられて、一対のガイド壁１３ｃ間に摺動可能に挿入されるようになっている。
【００６０】
また、このハンマー嵌合部３５は、図９に示すように、その中心にハンマー保持部材１３のハンマー保持軸１３ｄが嵌合する嵌合孔３５ａが設けられ、この嵌合孔３５ａの周囲における一部、つまり嵌合孔３５ａの周囲における前部にハンマー保持軸１３ｄが挿脱可能に挿入される挿入口３５ｂが設けられ、この挿入口３５ｂを通してハンマー保持軸１３ｄが嵌合孔３５ａに挿入されることにより、ハンマー保持軸１３ｄに回転可能に取り付けられるようになっている。
【００６１】
また、ハンマーアーム３４の前端下部には、図１および図９に示すように、取付部３４ｃが下方に向けて突出して設けられている。すなわち、この取付部３４ｃは、伝達部材１０の支持部２７ｄの側面に対面し、この状態で支持部２７ｄの側面に沿って上下方向に移動するようになっている。また、この取付部３４ｃには、後述する連動制御部３２の連動突起部３２ａが挿入する連動孔３２ｂが設けられている。
【００６２】
また、このハンマーアーム３４は、図１に示すように、その後端下部が下限ストッパ３６に上方から当接することにより、初期位置である下限位置に規制されるように構成されている。すなわち、この下限ストッパ３６は、フェルトなどのクッション材で形成されている。
【００６３】
この下限ストッパ３６は、図１に示すように、伝達支持レール１４上に設けられた複数のストッパ支持部２６に支持された下限ストッパレール３７上に取り付けられている。これにより、ハンマー部材１１は、ハンマーアーム３４の後端下部が下限ストッパ３６に上方から当接することにより、後部下がりに傾斜した状態で、初期位置に位置規制されるようになっている。
【００６４】
また、このハンマーアーム３４は、図１および図９に示すように、鍵２が押鍵操作された際に、ハンマーアーム３４の後端上部に設けられたストッパ当接部３８が上限ストッパ４０に下方から当接することにより、上限位置が規制されるようになっている。この上限ストッパ４０は、下限ストッパ３６と同様、フェルトなどのクッション材で形成され、両側のレール支持部材１６の各ストッパレール支持部１６ｅに架け渡された上限ストッパレール４１の下面に取り付けられている。
【００６５】
これにより、ハンマー部材１１は、図１に示すように、ハンマーアーム３４がハンマー保持部材１３のハンマー保持軸１３ｄを中心に時計回りに回転した際に、ハンマーアーム３４の後端上部に設けられたストッパ当接部３８が上限ストッパ４０に下方から当接することにより、上限位置が規制されるようになっている。この場合、上限ストッパレール４１は、金属製の帯板を断面ほぼ逆Ｌ字状に折り曲げたものであり、複数の鍵２の配列方向における全長に亘って配置されている。
【００６６】
一方、ハンマーアーム３４の前端上部には、図１および図９に示すように、スイッチ押圧部４２が設けられている。このハンマーアーム３４のスイッチ押圧部４２に対応する上方には、スイッチ基板４３が一対の基板支持レール４４によって配置されている。これら一対の基板支持レール４４は、それぞれ断面がＬ字形状に形成された長板であり、鍵２の配列方向の全長に亘る長さで設けられている。
【００６７】
これら一対の基板支持レール４４は、図１に示すように、その各水平部が両側のレール支持部材１６の各基板レール支持部１６ｆ上に所定間隔離れた状態で取り付けられている。スイッチ基板４３は、複数に分割されている。すなわち、この実施形態では、スイッチ基板４３が、例えば４つに分割されて２０個程度の各鍵２に対応する長さで、一対の基板支持レール４４上に取り付けられている。
【００６８】
これらスイッチ基板４３の下面には、図１に示すように、ゴムスイッチ４５がそれぞれ設けられている。このゴムスイッチ４５は、鍵２の配列方向に長いゴムシートに逆ドーム状の膨出部４５ａが複数のハンマーアーム３４の各スイッチ押圧部４２にそれぞれ対応して設けられている。この膨出部４５ａの内部には、スイッチ基板４３の下面に設けられた複数の固定接点（図示せず）に接離可能に接触する複数の可動接点（図示せず）が、ハンマーアーム３４の前後方向に沿って設けられている。
【００６９】
これにより、ゴムスイッチ４５は、図１に示すように、ハンマー部材１１がハンマー保持部材１３のハンマー保持軸１３ｄを中心に時計回りに回転して、ハンマーアーム３４のスイッチ押圧部４２によって下側から押圧された際に、逆ドーム状の膨出部４５ａが弾性変形して、複数の可動接点が時間をもって順次、複数の固定接点に接触することにより、鍵２の押鍵強さに応じたスイッチ信号を出力するようになっている。そして、このスイッチ信号は、音源部４３ａに供給され、鍵２の押鍵強さに応じた楽音が生成される。
【００７０】
ところで、連動制御部３２は、図１、図７および図９に示すように、伝達部材１０の支持部２７ｄに設けられた連動突起部３２ａと、ハンマー部材１１の取付部３４ｃに設けられて連動突起部３２ａが挿入する連動孔３２ｂと、を有している。これにより、連動制御部３２は、連動突起部３２ａと連動孔３２ｂとによって押鍵操作された鍵２に対応する伝達部材１０の回転動作に伴ってハンマー部材１１を回転動作させるようになっている。
【００７１】
次に、このような電子鍵盤楽器の鍵盤装置１の作用について説明する。
この鍵盤装置１では、鍵２が押鍵操作されていない初期状態のときに、伝達部材１０がその自重で伝達保持部１２の伝達保持軸１２ｄを中心に時計回りに回転して、伝達本体部２７の下面に設けられた伝達フェルト３０が鍵２のキャプスタン３１に上方から当接する。
【００７２】
このときには、伝達部材１０の重量、つまり伝達本体部２７の縦板部２７ａの形状や厚みおよび複数のリブ部２７ｂの形成密度によって設定されている重量が鍵２のキャプスタン３１に上方から加わる。これにより、鍵２が伝達部材１０によって押されてバランスピン４ａ、４ｂを中心に反時計回りに回転し、鍵２の後端部がクッション材７に当接して、鍵２が初期位置に規制されると共に、伝達部材１０も初期位置に規制されている。
【００７３】
また、このときには、ハンマー部材１１がその自重でハンマー保持部１３のハンマー保持軸１３ｄを中心に反時計回りに回転して、ハンマーアーム３４が下限ストッパ３６に当接して下限位置に位置規制されている。この状態では、ハンマー部材１１のスイッチ押圧部４２がスイッチ基板４３のゴムスイッチ４５から下側に離れた位置に配置される。このため、ゴムスイッチ４５は、その膨出部４５ａが膨張した自由状態になり、複数の可動接点４２ｂが固定接点（図示せず）から離れることにより、オフ状態になっている。
【００７４】
次に、このような状態の鍵２を押鍵操作して演奏する場合について説明する。
この場合には、鍵２が押鍵操されると、鍵２がバランスピン４ａ、４ｂを中心に図１において時計回りに回転し、鍵２のキャプスタン３１が伝達部材１０を押し上げる。このときには、伝達部材１０の重量である伝達本体部２７の縦板部２７ａの形状や厚みおよび複数のリブ部２７ｂの形成密度によって設定されている重量が、鍵２に初期荷重として付与される。
【００７５】
これにより、伝達部材１０がその自重に抗して伝達保持部材１２の伝達保持軸１２ｄを中心に図１において反時計回りに回転する。すると、伝達部材１０の回転動作が連動制御部３２によってハンマー部材１１に伝達され、ハンマー部材１１がその自重に抗して押上げられる。すなわち、伝達部材１０が図１において反時計回りに回転すると、この伝達部材１０の回転に伴って連動突起部３２ａが連動孔３２ｂの内周面に当接した状態で連動孔３２ｂを押し上げる。
【００７６】
これにより、ハンマー部材１１がハンマー保持部材１３のハンマー保持軸１３ｄを中心に図１において時計回りに回転して、鍵２にアクション荷重を付与する。すなわち、ハンマー部材１１がハンマー保持軸１３ｄを中心に図１において時計回りに回転する際には、ハンマー部材１１の慣性モーメントによって鍵２にアクション荷重が付与される。この場合、ハンマーアーム３４は、図１に示すように、鍵２の前後方向の長さが伝達部材１０とほぼ同じ長さに形成され、このハンマーアーム３４の後端部にハンマーヘッド３３が設けられている。
【００７７】
この状態で、ハンマーアーム３４のハンマー嵌合部３５がハンマー保持軸１３ｄに回転可能に取り付けられているので、ハンマー部材１１がハンマー保持軸１３ｄを中心に時計回りに回転する際には、ハンマー部材１１に慣性モーメントが発生する。この慣性モーメントによる負荷が連動制御部３２および伝達部材１０を介して鍵２にアクション荷重として付与される。これにより、アコースティックピアノの鍵タッチ感に近似した鍵タッチ感が得られる。
【００７８】
このようにハンマー部材１１がハンマー保持軸１３ｄを中心に時計回りに回転すると、図１に示すように、ハンマーアーム３４のスイッチ押圧部４２がスイッチ基板４３に設けられたゴムスイッチ４５の逆ドーム状の膨出部４５ａを下側から押圧する。これにより、逆ドーム状の膨出部４５ａが弾性変形して、膨出部４５ａ内の複数の可動接点が時間間隔をもって順次、複数の固定接点に接触する。
【００７９】
このときには、押鍵された鍵２に応じたスイッチ信号が音源部４３ａに供給され、この音源部４３ａで楽音データが生成され、この生成された楽音データに基づいて発音部としてのスピーカ（図示せず）から楽音を発生する。そして、ハンマー部材１１がハンマー保持軸１３ｄを中心に更に時計回りに回転すると、ハンマーアーム３４が上限ストッパ４０に下側から当接して、ハンマー部材１１の回転が規制されて停止する。
【００８０】
この後、鍵２が初期位置に戻る離鍵動作（復帰動作）を開始する際には、連動制御部３２の連動突起部３２ａが連動孔３２ｂに挿入されて、ハンマー部材１１と伝達部材１０とが連結された状態で、ハンマー部材１１がその自重で反時計回りに回転して初期位置に戻ると共に、伝達部材１０がその自重で時計回りに回転して初期位置に戻る。このときには、伝達部材１０の伝達フェルト３０が鍵２のキャプスタン３１を押し下げて、鍵２を反時計回りに回転させる。これにより、鍵２が初期位置に戻る。
【００８１】
このように、この電子鍵盤楽器の鍵盤装置１によれば、切欠き部２４を有する鍵２および鍵支持軸であるバランスピン４ａ、４ｂに支持された鍵２の少なくとも一つを含む複数の鍵２と、これら複数の鍵２それぞれの押鍵操作に応じて回転する複数の伝達部材１０を鍵２の配列方向に沿って保持する伝達支持レール１４と、鍵２の切欠き部２４に配置されて伝達支持レール１４を支持する伝達支持柱１７と、を備えることにより、鍵２の配列方向における伝達支持レール１４の長さが長くても、伝達支持レール１４の撓みを防いで、伝達支持レール１４を確実にかつ良好に支持することができる。
【００８２】
すなわち、この電子鍵盤楽器の鍵盤装置１では、複数の伝達支持柱１７によって鍵２の配列方向における伝達支持レール１４の所定箇所を支持することができるので、鍵２の配列方向における伝達支持レール１４の長さが長くても、伝達支持レール１４を確実にかつ良好に支持することができ、これにより伝達支持レール１４の撓みを防いで、複数の伝達部材１０の回転動作に伴う伝達支持レール１４の振動を防ぐことができる。
【００８３】
また、この電子鍵盤楽器の鍵盤装置１によれば、切欠き部２５を有する鍵２および鍵支持軸であるバランスピン４ａ、４ｂに支持された鍵２の少なくとも一つを含む複数の鍵２と、これら複数の鍵２それぞれの押鍵操作に応じて回転する複数の伝達部材１０の回転に応じて回転し、鍵２にアクション荷重を付与する複数のハンマー部材１１を鍵２の配列方向に沿って保持するハンマー支持レール１５と、鍵２の切欠き部２５に対応して配置されてハンマー支持レール１５を支持するハンマー支持柱１８と、を備えることにより、鍵２の配列方向におけるハンマー支持レール１５の長さが長くても、ハンマー支持レール１５の撓みを防いで、ハンマー支持レール１５を確実にかつ良好に支持することができる。
【００８４】
すなわち、この電子鍵盤楽器の鍵盤装置１では、複数のハンマー支持柱１８によって鍵２の配列方向におけるハンマー支持レール１５の所定箇所を支持することができるので、鍵２の配列方向におけるハンマー支持レール１５の長さが長くても、ハンマー支持レール１５を確実にかつ良好に支持することができ、これによりハンマー支持レール１５の撓みを防いで、複数のハンマー部材１１の回転動作に伴うハンマー支持レール１５の振動を防ぐことができる。
【００８５】
この場合、複数の伝達支持柱１７それぞれは、その上端部を伝達支持レール１４に固定する上部伝達締結部２０と、下端部を複数の鍵２がバランスピン４ａ、４ｂによって配列されるベース板５に固定する下部伝達締結部２１と、を備えているので、伝達支持柱１７の上端部を上部伝達締結部２０によって伝達支持レール１４に確実に固定することができると共に、伝達支持柱１７の下端部を下部伝達締結部２１によってベース板５に確実に固定することができる。
【００８６】
すなわち、上部伝達締結部２０は、伝達支持柱１７の上端部に設けられたねじ穴２０ａと、伝達支持レール１４の取付孔１４ａを通して伝達支持柱１７のねじ穴２０ａに螺合するビス２０ｂと、を備えているので、伝達支持レール１４の取付孔１４ａを通してビス２０ｂを伝達支持柱１７のねじ穴２０ａに螺着させて締め付けることにより、伝達支持柱１７の上端部に伝達支持レール１４を確実にかつ強固に固定させることができる。
【００８７】
また、下部伝達締結部２１は、伝達支持柱１７の下端部に設けられたねじ穴２１ａと、ベース板５に設けられた段付きの取付孔５ａを通して伝達支持柱１７のねじ穴２１ａに螺合するビス２１ｂと、を備えているので、ベース板５の取付孔５ａを通してビス２１ｂを伝達支持柱１７のねじ穴２１ａに螺着させて締め付けることにより、伝達支持柱１７の下端部をベース板５に確実にかつ強固に固定することができる。
【００８８】
一方、複数のハンマー支持柱１８それぞれは、その上端部をハンマー支持レール１５に固定する上部ハンマー締結部２２と、下端部をベース板５に固定する下部ハンマー締結部２３と、を備えているので、ハンマー支持柱１８の上端部を上部ハンマー締結部２２によってハンマー支持レール１５に確実に固定することができると共に、ハンマー支持柱１８の下端部を下部ハンマー締結部２３によってベース板５に確実に固定することができる。
【００８９】
すなわち、上部ハンマー締結部２２は、ハンマー支持柱１８の上端部に設けられたねじ穴２２ａと、ハンマー支持レール１５の取付孔１５ａを通してハンマー支持柱１８のねじ穴２２ａに螺合するビス２２ｂと、を備えているので、ハンマー支持レール１５の取付孔１５ａを通してビス２２ｂをハンマー支持柱１８のねじ穴２２ａに螺着させて締め付けることにより、ハンマー支持柱１８の上端部にハンマー支持レール１５を確実にかつ強固に固定させることができる。
【００９０】
また、下部ハンマー締結部２３は、ハンマー支持柱１８の下端部に設けられたねじ穴２３ａと、ベース板５に設けられた段付きの取付孔５ｂを通してハンマー支持柱１８のねじ穴２３ａに螺合するビス２３ｂと、を備えているので、ベース板５の取付孔５ｂを通してビス２３ｂをハンマー支持柱１８のねじ穴２３ａに螺着させて締め付けることにより、ハンマー支持柱１８の下端部をベース板５に確実にかつ強固に固定することができる。
【００９１】
また、この電子鍵盤楽器の鍵盤装置１では、複数の伝達支持柱１７が、伝達支持レール１４の両端部を除いて、鍵２の配列方向における複数箇所に設けられているので、伝達支持レール１４の長さが長くても、伝達支持レール１４を確実に支持することができる。例えば、鍵２が８８個並列に配列されている場合、２０個の鍵２ごとに位置する複数箇所に伝達支持柱１７を設けることにより、伝達支持レール１４を確実にかつ強固に支持することができる。
【００９２】
この場合、伝達支持レール１４の両端部は、鍵２の配列方向におけるベース板５の両側部にそれぞれ取り付けられたレール支持部材１６に支持されていることにより、この両側のレール支持部材１６によって伝達支持レール１４の両端部を確実に固定することができるので、複数の伝達支持柱１７が丸棒状に形成されていても、伝達支持レール１４を確実に支持することができる。
【００９３】
また、複数のハンマー支持柱１８は、ハンマー支持レール１５の両端部を除いて、前記鍵の配列方向における複数箇所に設けられているので、ハンマー支持レール１５の長さが長くても、ハンマー支持レール１５を確実に支持することができる。この場合にも、例えば、鍵２が８８個並列に配列されている場合、２０個の鍵２ごとに位置する複数箇所にハンマー支持柱１８を設けることにより、ハンマー支持レール１５を確実にかつ強固に支持することができる。
【００９４】
この場合にも、ハンマー支持レール１５の両端部は、鍵２の配列方向におけるベース板５の両側部にそれぞれ取り付けられたレール支持部材１６に支持されていることにより、この両側のレール支持部材１６によってハンマー支持レール１５の両端部を確実に固定することができるので、複数のハンマー支持柱１８が丸棒状に形成されていても、ハンマー支持レール１５を確実に支持することができる。
【００９５】
また、この電子鍵盤楽器の鍵盤装置１では、伝達支持柱１７とハンマー支持柱１８との各外径が鍵２の配列方向における鍵２の長さ（横幅）よりも短く形成されていることにより、鍵２を曲げたり切断したりせずに、複数の伝達支持柱１７と複数のハンマー支持柱１８との各下部側を、鍵２の配列方向における複数箇所に位置して互いに隣接する鍵２の第１、第２の切欠き部２４、２５に配置させることができ、これにより複数の鍵２をコンパクトに配列させることができるので、鍵盤装置１全体のコンパクト化を図ることができる。
【００９６】
すなわち、鍵２の第１切欠き部２４は、伝達支持柱１７が位置する箇所で隣接する鍵２の対向面に互いに対応して設けられていることにより、この第１切欠き部２４内に伝達支持柱１７を良好に配置させることができる。また、鍵２の第２切欠き部２５は、ハンマー支持柱１８が位置する箇所で隣接する鍵２の対向面に互いに対応して設けられていることにより、この第２切欠き部２５内にハンマー支持柱１８を良好に配置させることができる。
【００９７】
この場合、伝達支持柱１７が配置される各鍵２の第１切欠き部２４は、互いに隣接する鍵２の各後端部に、伝達支持柱１７の半径よりも少し大きく食込んだ形状で、伝達支持柱１７が位置する箇所から鍵２の各後端に亘って互いに対応して設けられていることにより、この第１切欠き部２４の間に伝達支持柱１７の下部が配置された際に、第１切欠き部２４の対向面が伝達支持柱１７に接触しないようにすることができるので、鍵２を円滑にかつ良好に押鍵操作させることができる。
【００９８】
同様に、ハンマー支持柱１８が配置される各鍵２の第２切欠き部２５は、互いに隣接する鍵２の各中間部附近に、ハンマー支持柱１８の半径よりも少し大きく食込んだ形状で互いに対応してほぼ楕円形状をなすように設けられていることにより、第２切欠き部２５の間にハンマー支持柱１８の下部が配置された際に、第２切欠き部２５の対向面がハンマー支持柱１８に接触しないようにすることができるので、鍵２を円滑にかつ良好に押鍵操作させることができる。
【００９９】
さらに、この鍵盤装置１では、複数の鍵２の全てがその配列方向と直交する方向に直線的な形状で真直ぐに形成されていることにより、例えば、鍵２が８８個並列に配列されている場合、２０個の鍵２ごとに位置して隣接する鍵２のみに第１切欠き部２４と第２切欠き部２５とを設けるだけで良いので、２０個の鍵２を一度にベース板５に組み付けることができるので、組立作業性の向上を図ることができる。
【０１００】
なお、上述した実施形態では、ハンマー支持柱１８を鍵支持軸であるバランスピン４ａ、４ｂと別に設けた場合について述べたが、この発明はこれに限らず、例えば図１０に示す変形例のように、黒鍵２ｂのバランスピン４ｂにハンマー支持柱５０を一体に設けても良い。すなわち、このハンマー支持柱５０は、バランスピン４ｂが鍵２の上方に長く突出して設けられ、その上端部に上部ハンマー締結部５１が設けられた構造になっている。
【０１０１】
この場合、ハンマー支持柱５０は、図１０に示すように、バランスピン４ｂがベース板５に固定されて鍵２を上下方向に回転可能に支持した状態で、鍵２の上方に延びてハンマー支持柱５０の上端部がハンマー支持レール１５の下面に配置されるようになっている。また、このハンマー支持柱５０の上部ハンマー締結部５１は、ハンマー支持柱５０の上端部に設けられてハンマー支持レール１５の取付孔１５ｂに挿入するねじ部５１ａと、このねじ部５１ａに螺合するナット５１ｂと、を備えている。
【０１０２】
これにより、上部ハンマー締結部５１は、図１０に示すように、バランスピン４ｂがベース板５に固定されて鍵２を上下方向に回転可能に支持した状態で、ねじ部５１ａをハンマー支持レール１５の取付孔１５ｂに下側から挿入させて上方に突出させ、この突出したねじ部５１ａにナット５１ｂを螺合させて締め付けることにより、ハンマー支持柱５０の上端部にハンマー支持レール１５を固定するようになっている。
【０１０３】
このような鍵盤装置１では、上述した実施形態と同様の作用効果があるほか、黒鍵２ｂのバランスピン４ｂにハンマー支持柱５０を一体に設けた構造であるから、部品点数を削減することができると共に、組立作業の簡素化を図ることができると共に、上部ハンマー締結部５１によってハンマー支持柱５０の上端部にハンマー支持レール１５を確実に固定することができる。
【０１０４】
すなわち、上部ハンマー締結部５１は、ハンマー支持柱５０の上端部に設けられてハンマー支持レール１５の取付孔１５ｂに挿入するねじ部５１ａと、このねじ部５１ａに螺合するナット５１ｂと、を備えているので、ハンマー支持レール１５の取付孔１５ｂにハンマー支持柱５０のねじ部５１ａを挿入させて突出させ、この突出したねじ部５１ａにナット５１ｂを螺着させて締め付けることにより、ハンマー支持柱１８の上端部にハンマー支持レール１５を確実にかつ強固に固定させることができる。
【０１０５】
なお、上述した変形例では、黒鍵２ｂのバランスピン４ｂにハンマー支持柱５０を一体に設けた場合について述べたが、この発明はこれに限らず、例えば白鍵２ａのバランスピン４ａにハンマー支持柱５０を一体に設けた構造であっても良く、またこれに限らず、白鍵２ａのバランスピン４ａと黒鍵２ｂのバランスピン４ｂとの一方に伝達支持柱１７を一体に設けても良い。
【０１０６】
また、上述した実施形態では、伝達支持柱１７の上部伝達締結部２０と下部伝達締結部２１、およびハンマー支持柱１８の上部ハンマー締結部２２と下部ハンマー締結部２３とが、ねじ穴２０ａ〜２３ａとビス２０ｂ〜２３ｂとを備えている場合について述べたが、この発明はこれに限らず、例えば上述した変形例の上部ハンマー締結部５１と同様、ねじ部とナットとを備えた構造であっても良い。
【０１０７】
さらに、上述した実施形態では、隣接する鍵２の対向面に伝達支持柱１７が配置される第１切欠き部２４とハンマー支持柱１８が配置される第２切欠き部２５とを設けた場合について述べたが、この発明はこれに限らず、例えば鍵２に伝達支持柱１７が配置される第１貫通孔とハンマー支持柱１８が配置される第２貫通孔とを設けた構造であっても良い。
【０１０８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０９】
（付記）
請求項１に記載の発明は、切欠き部を有する鍵、孔を有する鍵及び鍵支持軸に支持された鍵の少なくとも一つを含む複数の鍵と、前記複数の鍵それぞれの押鍵操作に応じて回転する複数の伝達部材を前記鍵の配列方向に沿って保持する伝達レールと、前記鍵の前記切欠き部、前記鍵の前記孔及び前記鍵支持軸の少なくとも一つに対応して配置されて前記伝達レールを支持する伝達支持柱と、を備えることを特徴とする鍵盤装置である。
【０１１０】
請求項２に記載の発明は、切欠き部を有する鍵、孔を有する鍵及び鍵支持軸に支持された鍵の少なくとも一つを含む複数の鍵と、前記複数の鍵それぞれの押鍵操作に応じて回転する複数の伝達部材の回転に応じて回転し、前記鍵にアクション荷重を付与する複数のハンマー部材を前記鍵の配列方向に沿って保持するハンマーレールと、前記鍵の前記切欠き部、前記鍵の前記孔及び前記鍵支持軸の少なくとも一つに対応して配置されて前記ハンマーレールを支持するハンマー支持柱と、を備えることを特徴とする鍵盤装置である。
【０１１１】
請求項３に記載の発明は、切欠き部を有する鍵、孔を有する鍵及び鍵支持軸に支持された鍵の少なくとも一つを含む複数の鍵と、前記複数の鍵それぞれの押鍵操作に応じて回転する複数の伝達部材を前記鍵の配列方向に沿って保持する伝達レールと、前記鍵の前記切欠き部、前記鍵の前記孔及び前記鍵支持軸の少なくとも一つに対応して配置されて前記伝達レールを支持する伝達支持柱と、前記複数の鍵それぞれの押鍵操作に応じて回転する複数の伝達部材の回転に応じて回転し、前記鍵にアクション荷重を付与する複数のハンマー部材を前記鍵の配列方向に沿って保持するハンマーレールと、前記鍵の前記切欠き部、前記鍵の前記孔及び前記鍵支持軸の少なくとも一つに対応して配置されて前記ハンマーレールを支持するハンマー支持柱と、を備えることを特徴とする鍵盤装置である。
【０１１２】
請求項４に記載の発明は、請求項３に記載の鍵盤装置において、前記複数の伝達支持柱それぞれは、その上端部を前記伝達レールに固定する上部伝達締結部と、下端部を前記鍵が前記鍵支持軸によって配列されるベース部材に固定する下部伝達締結部と、を備えており、前記複数のハンマー支持柱それぞれは、その上端部を前記ハンマーレールに固定する上部ハンマー締結部と、下端部を前記ベース部材に固定する下部ハンマー締結部と、を備えていることを特徴とする鍵盤装置である。
【０１１３】
請求項５に記載の発明は、請求項３または請求項４に記載の鍵盤装置において、前記伝達レールは、その両端部がレール支持部材に支持され、前記複数の伝達支持柱は、前記伝達レールの前記両端部を除いて、前記鍵の配列方向における複数箇所に設けられており、前記ハンマーレールは、その両端部が前記レール支持部材に支持され、前記複数のハンマー支持柱は、前記ハンマーレールの前記両端部を除いて、前記鍵の配列方向における複数箇所に設けられていることを特徴とする鍵盤装置である。
【０１１４】
請求項６に記載の発明は、請求項３〜請求項５のいずれかに記載の鍵盤装置において、前記伝達支持柱と前記ハンマー支持柱とは、その各外径が前記鍵の配列方向における前記鍵の長さよりも短く形成されていることを特徴とする鍵盤装置である。
【０１１５】
請求項７に記載の発明は、請求項３〜請求項６のいずれかに記載の鍵盤装置において、前記鍵の前記切欠き部は、前記伝達支持柱と前記ハンマー支持柱とが位置する箇所で隣接する前記鍵の対向面に互いに対応して設けられて、前記伝達支持柱と前記ハンマー支持柱とが配置されることを特徴とする鍵盤装置である。
【０１１６】
請求項８に記載の発明は、請求項１〜請求項７のいずれかに記載の鍵盤装置において、前記複数の伝達支持柱と前記複数のハンマー支持柱とのいずれか一方は、前記鍵を支持する前記鍵支持軸に設けられていることを特徴とする鍵盤装置である。
【０１１７】
請求項９に記載の発明は、請求項１〜請求項８のいずれかに記載の鍵盤装置において、前記複数の鍵は、その配列方向と直交する方向に全て直線的な形状で形成されていることを特徴とする鍵盤装置である。
【０１１８】
請求項１０に記載の発明は、請求項１〜請求項９のいずれかに記載された鍵盤装置と、
前記鍵盤装置の前記鍵の操作に応じて楽音を発生させる発音部と、
を備えていることを特徴とする鍵盤楽器である。
【符号の説明】
【０１１９】
１  鍵盤装置
２  鍵
３  アクション機構
４ａ、４ｂ  バランスピン（鍵支持軸）
５  ベース板
１０  伝達部材
１１  ハンマー部材
１２  伝達保持部材
１３  ハンマー保持部材
１４  伝達支持レール
１５  ハンマー支持レール
１６  レール支持部材
１７  伝達支持柱
１８、５０  ハンマー支持柱
２０  上部伝達締結部
２０ａ、２１ａ  ねじ穴
２０ｂ、２１ｂ  ビス
２１  下部伝達締結部
２２、５１  上部ハンマー締結部
２２ａ、２３ａ  ねじ穴
２２ｂ、２３ｂ  ビス
２３  下部ハンマー締結部
２４  第１切欠き部
２５  第２切欠き部
４３ａ  発音部
５１ａ  ねじ部
５１ｂ  ナット
【図１】
2018155890.tif 000003
【図２】
2018155890.tif 000004
【図３】
2018155890.tif 000005
【図４】
2018155890.tif 000006
【図５】
2018155890.tif 000007
【図６】
2018155890.tif 000008
【図７】
2018155890.tif 000009
【図８】
2018155890.tif 000010
【図９】
2018155890.tif 000011
【図１０】
2018155890.tif 000012